(57)【要約】【課題】クレジットカード契約者以外の者であって当該クレジットカード契約に係るクレジットカード媒体を持たない者が、安全かつ簡易に契約者のクレジットカード機能を利用して所定の者に代理決済を依頼することができる技術を提供する。【解決手段】  決済装置であって、需要者から購入に関心のある関心商品の登録を受け付けて登録する関心商品登録部と、関心商品に係る代理支払の依頼を受け付ける代理支払依頼処理部と、代理支払の依頼に基づき所定の代理支払者へ代理支払の認否を問い合わせて承認された関心商品について前記代理支払者のクレジットカード契約に基づき決済処理を行う代理支払認否処理部と、を備える。【選択図】図１
2018072918.tif 000002
【特許請求の範囲】
【請求項１】
需要者から購入に関心のある関心商品の登録を受け付けて登録する関心商品登録部と、
前記関心商品に係る代理支払の依頼を受け付ける代理支払依頼処理部と、
前記代理支払の依頼に基づき所定の代理支払者へ代理支払の認否を問い合わせて承認された前記関心商品について前記代理支払者のクレジットカード契約に基づき決済処理を行う代理支払認否処理部と、
を備えることを特徴とする決済装置。
【請求項２】
請求項１に記載の決済装置であって、
前記代理支払認否処理部の問い合わせに対して代替商品の提案依頼を受け付けると代替商品を検索して提案を行う代替提案処理部、
を備えることを特徴とする決済装置。
【請求項３】
請求項１に記載の決済装置であって、
前記代理支払者の優先順を設定する優先順設定部を備え、
前記代理支払認否処理部は、前記代理支払いの問い合わせを前記優先順に行う、
ことを特徴とする決済装置。
【請求項４】
請求項２に記載の決済装置であって、
前記代替提案処理部は、前記関心商品ごとに、少なくとも前記関心商品と同一のカテゴリの商品、あるいは前記関心商品と同じ製造者の商品から前記代替商品を提案する、
ことを特徴とする決済装置。
【請求項５】
請求項３に記載の決済装置であって、
前記優先順設定部は、前記代理支払者を、前記関心商品のカテゴリごとに予め対応付けられた代理支払者の優先順位に従って特定する、
ことを特徴とする決済装置。
【請求項６】
請求項４に記載の決済装置であって、
前記代理支払認否処理部は、登録された前記関心商品が全て購入されるか、予め対応付けられた前記代理支払者のそれぞれに問い合わせを終えるまで、順に前記代理支払者へ問い合わせを行う、
ことを特徴とする決済装置。
【請求項７】
請求項２に記載の決済装置であって、
前記代替商品の検索条件には、購入商品の上限価格を含む、
ことを特徴とする決済装置。
【請求項８】
請求項２に記載の決済装置であって、
前記代替商品の検索条件には、購入商品の数量を含む、
ことを特徴とする決済装置。
【請求項９】
決済装置を用いた決済方法であって、
前記決済装置は、制御部と、記憶部と、を備え、
前記制御部は、
需要者から購入に関心のある関心商品の登録を受け付けて前記記憶部に登録する関心商品登録ステップと、
前記関心商品に係る代理支払の依頼を受け付ける代理支払依頼処理ステップと、
前記代理支払の依頼に基づき所定の代理支払者へ代理支払の認否を問い合わせて承認された前記関心商品について前記代理支払者のクレジットカード契約に基づき決済処理を行う代理支払認否処理ステップと、
を実施することを特徴とする決済方法。
【発明の詳細な説明】
【技術分野】
【０００１】
本発明は、決済装置および決済方法に関するものである。
【背景技術】
【０００２】
様々な物やサービス提供の対価として金銭を授受する際に、クレジットカード会社により支払いを代行するためのクレジットカードを用いた決済が普及している。一般に、このような支払においては、物やサービスの需要者自らのクレジットカード利用契約に基づき所定の電子情報を記憶するクレジットカードに対して、読取端末を介して電子情報を読み取り、決済を行う。
【０００３】
特許文献１には、商品購入者に代わってその購入希望商品を購入して届ける代理購入方法であって、代理購入業者に予め会員登録した商品購入者が自身の端末から通信回線を介して会員番号と購入希望商品に関する商品特定情報、販売者、商品価格を含む商品情報を代理購入業者の管理するサーバに送信する段階と、送信を受けた前記サーバが受信情報を受注管理データベースに記録する段階と、前記代理購入業者から商品調達業務の請負を希望する会員登録した調達請負者が自身の端末から通信回線を介して前記サーバにアクセスし、調達希望商品リストの送信を依頼する段階と、依頼を受けた前記サーバが前記受注管理データベースから調達必要な商品を抽出し、前記商品購入者が送信してきた商品価格に手数料を加えることなくそのまま調達費用として表示した調達希望商品リストを作成して依頼してきた前記端末に送信する段階と、前記調達希望商品リストを受信した前記調達請負者の端末の表示する画面を見た調達請負者が請負希望商品を特定する情報を入力したのを受けて調達請負者の端末が該情報を前記サーバに送信する段階と、該委託希望商品を特定する情報を受信したサーバが該情報を最先に送信してきた前記端末に対して調達業務を委託する旨の情報を送信すると同時に該商品についての調達業務の委託を完了した旨を前記受注管理データベースに記録する段階と、を含むことを特徴とする代理購入方法について記載されている。
【先行技術文献】
【特許文献】
【０００４】
【特許文献１】特開２０１３−８０３５８号公報
【発明の概要】
【発明が解決しようとする課題】
【０００５】
上記技術は、物やサービスの需要者に代わり代理者が商品を購入することを含むものであるが、支払い決済はマージンを考慮して代理者自身が行い、需要者は代理者から自身の決済により商品を購入する。そのため、代理者は代理で需要者の商品購入の代金を負担するというものではない。また、ショッピングサイトによっては関心のある商品を登録しておき、第三者がその一部について購入に係る代金を負担する仕組みがある。しかし、それは特定の者に代理決済を依頼するものではなく、公募的性質を有する。そのため、関心商品を登録しても商品代金の負担を他人に積極的に依頼するものとはいえない。また、信頼関係のある他人にのみ代理決済を依頼したい場合等に、代理決済者の限定を行うこともできない。
【０００６】
本発明の目的は、クレジットカード契約者以外の者であって当該クレジットカード契約に係るクレジットカード媒体を持たない者が、安全かつ簡易に契約者のクレジットカード機能を利用して所定の者に代理決済を依頼することができる技術を提供することにある。
【課題を解決するための手段】
【０００７】
本願は、上記課題の少なくとも一部を解決する手段を複数含んでいるが、その例を挙げるならば、以下のとおりである。本発明の一態様に係る決済装置は、需要者から購入に関心のある関心商品の登録を受け付けて登録する関心商品登録部と、上記関心商品に係る代理支払の依頼を受け付ける代理支払依頼処理部と、上記代理支払の依頼に基づき所定の代理支払者へ代理支払の認否を問い合わせて承認された上記関心商品について上記代理支払者のクレジットカード契約に基づき決済処理を行う代理支払認否処理部と、を備えることを特徴とする。
【０００８】
また、上記の決済装置においては、上記代理支払認否処理部の問い合わせに対して代替商品の提案依頼を受け付けると代替商品を検索して提案を行う代替提案処理部、を備えることを特徴とするものであってもよい。
【０００９】
また、上記の決済装置においては、上記代理支払者の優先順を設定する優先順設定部を備え、上記代理支払認否処理部は、上記代理支払いの問い合わせを上記優先順に行う、ことを特徴とするものであってもよい。
【００１０】
また、上記の決済装置においては、上記代替提案処理部は、上記関心商品ごとに、少なくとも上記関心商品と同一のカテゴリの商品、あるいは上記関心商品と同じ製造者の商品から上代替商品を提案する、ことを特徴とするものであってもよい。
【００１１】
また、上記の決済装置においては、上記優先順設定部は、上記代理支払者を、上記関心商品のカテゴリごとに予め対応付けられた代理支払者の優先順位に従って特定する、ものであってもよい。
【００１２】
また、上記の決済装置においては、上記代理支払認否処理部は、登録された上記関心商品が全て購入されるか、予め対応付けられた上記代理支払者のそれぞれに問い合わせを終えるまで、順に上記代理支払者へ問い合わせを行う、ものであってもよい。
【００１３】
また、上記の決済装置においては、上記代替商品の検索条件には、購入商品の上限価格を含む、ことを特徴とするものであってもよい。
【００１４】
また、上記の決済装置においては、上記代替商品の検索条件には、購入商品の数量を含む、ことを特徴とするものであってもよい。
【００１５】
また、本発明の他の態様に係る決済装置を用いた決済方法は、上記決済装置は、制御部と、記憶部と、を備え、上記制御部は、需要者から購入に関心のある関心商品の登録を受け付けて上記記憶部に登録する関心商品登録ステップと、上記関心商品に係る代理支払の依頼を受け付ける代理支払依頼処理ステップと、上記代理支払の依頼に基づき所定の代理支払者へ代理支払の認否を問い合わせて承認された上記関心商品について上記代理支払者のクレジットカード契約に基づき決済処理を行う代理支払認否処理ステップと、を実施する。
【発明の効果】
【００１６】
本発明によると、クレジットカード契約者以外の者であって当該クレジットカード契約に係るクレジットカード媒体を持たない者が、安全かつ簡易に契約者のクレジットカード機能を利用することができる。
【００１７】
上記した以外の課題、構成および効果は、以下の実施形態の説明により明らかにされる。
【図面の簡単な説明】
【００１８】
【図１】実施形態に係る決済システムのブロック図である。
【図２】関心商品記憶部に格納されるデータ構造を示す図である。
【図３】代理支払者記憶部に格納されるデータ構造を示す図である。
【図４】商品情報記憶部に格納されるデータ構造を示す図である。
【図５】代理決済装置のハードウェア構成例を示す図である。
【図６】購入者端末のハードウェア構成例を示す図である。
【図７】ネット購買装置のハードウェア構成例を示す図である。
【図８】代理購入処理のフローを示す図である。
【図９】関心商品入力画面の例を示す図である。
【図１０】代理支払者選択画面の例を示す図である。
【図１１】代理支払者詳細設定画面の例を示す図である。
【図１２】代理購入画面の例を示す図である。
【図１３】代替検索画面の例を示す図である。
【図１４】代替商品メッセージ画面の例を示す図である。
【発明を実施するための形態】
【００１９】
以下に、本発明の一態様に係る実施形態を適用した決済システム１について、図面を参照して説明する。
【００２０】
一般に、クレジットカードによる購入対象の商品の代金の決済は普及しているが、クレジットカードの性質上、クレジットカード契約者本人以外の者に購入対象の商品を贈与する場合であっても、クレジットカードの利用を贈与される者が行うことはできない。一方で、そのような場合には、家族カードと呼ばれるクレジットカードの複製を発券しておき当該贈与される者による購入の支払いを代行することができるが、当該家族カードの複製にはリスクが伴うため、限られた範囲ではあっても複製物を拡散するのは適切とはいえない。
【００２１】
本実施形態に係る決済システム１を用いると、クレジットカード契約者以外の者であって当該クレジットカード契約に係るクレジットカード媒体を持たない者が、安全かつ簡易に契約者のクレジットカード機能を利用することができる。また、クレジットカード機能の悪用に対する安全性を損うこともない。
【００２２】
図１は、本実施形態に係る決済システム１のブロック図である。決済システム１は、代理決済装置１００と、購入者端末２００と、クレジットカード契約者端末３００と、ネット購買装置４００と、を含む。
【００２３】
購入者端末２００は、クレジットカード契約者でなく、他の契約者に一時的にクレジットカード機能を利用して代理決済してもらう購入者が有し、使用する端末である。なお、クレジットカード契約者が他人になり替わり、クレジットカード機能を利用して購入する仕組みを、本実施形態においては代理決済と記載することがある。クレジットカード契約者端末３００は、代理決済装置１００およびネット購買装置４００とネットワーク５０を介して通信可能に接続され、クレジットカードに係るクレジットカード契約の当事者が使用するための端末である。ネット購買装置４００は、商品等の支払いを受ける者が有し、商品代金の支払と購入に伴うギフトポイントの発行等の商品購入に係る金銭授受に係る処理を行う。例えば、ネット購買装置４００は、ウェブショップシステムのサーバー装置である。
【００２４】
なお、購入者端末２００と、クレジットカード契約者端末３００とは、顧客がクレジットカードに無関係に保持使用しているスマートフォン等の端末であってもよい。
【００２５】
ネットワーク５０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット、携帯電話網等の通信網である。なお、ネットワーク５０は、携帯電話通信網等の無線通信網上のＶＰＮ（Ｖｉｒｔｕａｌ  Ｐｒｉｖａｔｅ  Ｎｅｔｗｏｒｋ）等であってもよい。
【００２６】
代理決済装置１００は、いわゆるサーバー装置である。しかし、これに限られず、代理決済装置１００は、パソコンやスマートフォン、ワークステーション、ＰＤＡ（Ｐｅｒｓｏｎａｌ  Ｄａｔａ  Ａｓｓｉｓｔａｎｔ）、タブレット装置等各種の情報処理装置であってもよい。
【００２７】
代理決済装置１００は、ネットワーク５０を介して購入者端末２００からクレジットカード機能による代理決済者の指定を含む代理決済の要求を受け付ける。また、代理決済装置１００は、ネットワーク５０を介してクレジットカード契約者端末３００へ代理決済の通知を行う。また、代理決済装置１００は、クレジットカード契約者端末３００から代替提案の依頼を受け付ける。また、代理決済装置１００は、購入者端末２００から代理決済者の詳細な設定を受け付ける。
【００２８】
購入者端末２００と、クレジットカード契約者端末３００とは、例えばパーソナルコンピュータやタブレット装置等の端末である。しかし、これに限られず、各装置は、スマートフォン、ワークステーション、ＰＤＡ等各種の情報処理装置であってもよい。
【００２９】
購入者端末２００と、クレジットカード契約者端末３００とは、ネットワーク５０を介して代理決済装置１００から所定の画面の表示出力を行う指示を受けると、出力処理を行う。また、購入者端末２００と、クレジットカード契約者端末３００とは、自装置に備えられた後述の入力装置等から受け付けた入力情報を、ネットワーク５０を介して代理決済装置１００またはネット購買装置４００へ送信する。
【００３０】
ネット購買装置４００は、購入者端末２００あるいはクレジットカード契約者端末３００に対して、商品の購買に係る処理画面を送信する。また、ネット購買装置４００は、商品の購買に係る決済処理を行う。また、ネット購買装置４００は、商品の購買に係る決済処理が代理決済である場合に、代理決済装置１００へ処理を委譲する。
【００３１】
代理決済装置１００には、制御部１１０と、記憶部１２０と、通信部１３０と、が含まれる。制御部１１０には、関心商品登録部１１１と、代理支払依頼処理部１１２と、代理支払認否処理部１１３と、代替提案処理部１１４と、優先順設定部１１５と、が含まれる。
【００３２】
関心商品登録部１１１は、需要者から購入に関心のある関心商品の登録を受け付けて登録する。具体的には、関心商品登録部１１１は、ネット購買に際し、購入には至らないが購入の可能性はある、すなわち購入に関心がある商品の登録処理を実施する。例えば、関心商品登録部１１１は、購入者端末２００から関心のある商品等の情報を受け付けて、記憶部１２０の後述する関心商品記憶部１２１へ登録する。
【００３３】
代理支払依頼処理部１１２は、関心商品に係る代理支払の依頼を受け付ける。具体的には、代理支払依頼処理部１１２は、関心商品の登録時あるいは登録後に、関心商品の購入にあたって代理支払を利用する依頼を受け付ける。また、代理支払依頼処理部１１２は、代理支払に関する処理を制御する。
【００３４】
代理支払認否処理部１１３は、代理支払の依頼に基づき所定の代理支払者へ代理支払の認否を問い合わせて承認された関心商品について、代理支払者のクレジットカード契約に基づき決済処理を行う。なお、代理支払認否処理部１１３は、登録された関心商品が全て購入されるか、予め対応付けられた代理支払者のそれぞれに問い合わせを終えるまで、順に代理支払者へ問い合わせを行う、
【００３５】
代替提案処理部１１４は、代理支払認否処理部１１３の問い合わせに対して代替商品の提案依頼を受け付けると、代替商品を検索して提案を行う。その処理において、代替提案処理部１１４は、関心商品ごとに、少なくとも関心商品と同一のカテゴリの商品、あるいは関心商品と同じ製造者の商品から代替商品を提案する。また、代替提案処理部１１４は、代替商品の検索条件として、購入商品の上限価格の指定および購入商品の数量を受け付けて、その範囲内で代替となる商品を検索する。
【００３６】
優先順設定部１１５は、代理支払者の優先順を設定する。より具体的には、優先順設定部１１５は、代理支払者を、関心商品のカテゴリごとに予め対応付けられた代理支払者の優先順位に従って特定する。優先順設定部１１５が優先順を設定した場合には、代理支払認否処理部１１３は、代理支払いの問い合わせを優先順に行う。
【００３７】
記憶部１２０には、関心商品記憶部１２１と、代理支払者記憶部１２２と、が含まれる。
【００３８】
図２は、関心商品記憶部１２１に格納されるデータ構造を示す図である。関心商品記憶部１２１には、購入者あるいは見込み購入者である顧客を識別する顧客識別子１２１Ａごとに、関心のある商品を識別する商品識別子１２１Ｂと、商品の商品名１２１Ｃと、商品の色１２１Ｄと、商品の製造者１２１Ｅと、商品の実勢価格１２１Ｆと、商品の代理購入の場合に代理決済を行う対象者の指定がある場合にその代理決済を行う対象者を特定する代理決済対象１２１Ｇと、購入希望の数量１２１Ｈと、代替商品の提案があった場合に代替する商品１２１Ｊと、が対応付けて格納される。
【００３９】
図３は、代理支払者記憶部１２２に格納されるデータ構造を示す図である。代理支払者記憶部１２２には、購入者あるいは見込み購入者である顧客を識別する顧客識別子１２２Ａごとに、代理支払者識別子１２２Ｂと、代理支払者名１２２Ｃと、代理支払の基本的な優先順位である優先順位１２２Ｄと、代理支払者が代理する際に最も優先する代理支払対象の商品のカテゴリを特定する第一優先カテゴリ１２２Ｅと、代理支払者が代理する際に次点で優先する代理支払対象の商品のカテゴリを特定する第二優先カテゴリ１２２Ｆと、代理支払者が代理する際に三番目に優先する代理支払対象の商品のカテゴリを特定する第三優先カテゴリ１２２Ｇと、代理支払者へ通知を行うための電子メールアドレス１２２Ｈが対応付けて格納される。
【００４０】
通信部１３０は、ネットワーク５０を介して他の装置である購入者端末２００、クレジットカード契約者端末３００およびネット購買装置４００との通信を行う。
【００４１】
購入者端末２００には、表示部２１０と、入力受付部２２０と、通信部２３０と、ブラウザ処理部２４０と、が含まれる。表示部２１０は、ネット購買装置４００および代理決済装置１００から表示を指示された所定の形式の画面情報を通信部２３０から受け取ると、ディスプレイ装置に描画する。入力受付部２２０は、購入者端末２００の操作者、例えば代理決済を依頼する者からの入力指示を受け付け、代理決済装置１００へ送信する。通信部２３０は、ネットワーク５０を介して他の装置である代理決済装置１００およびネット購買装置４００との通信を行う。
【００４２】
ブラウザ処理部２４０は、Ｗｅｂページの表示を制御するいわゆるインターネットブラウザ機能を実現する処理部である。ブラウザ処理部２４０は、表示部２１０と、入力受付部２２０と、通信部２３０と、を組み合わせてインターネットブラウザ機能を実現する。
【００４３】
クレジットカード契約者端末３００には、表示部３１０と、入力受付部３２０と、通信部３３０と、ブラウザ処理部３４０と、が含まれる。表示部３１０は、代理決済装置１００またはネット購買装置４００から表示を指示された所定の形式の画面情報を通信部３３０から受け取ると、ディスプレイ装置に描画する。入力受付部３２０は、クレジットカード契約者端末３００の操作者、例えば代理決済依頼を受ける者からの入力指示を受け付け、代理決済装置１００またはネット購買装置４００へ送信する。通信部３３０は、ネットワーク５０を介して他の装置である代理決済装置１００またはネット購買装置４００との通信を行う。
【００４４】
ブラウザ処理部３４０は、Ｗｅｂページの表示を制御するいわゆるインターネットブラウザ機能を実現する処理部である。ブラウザ処理部３４０は、表示部３１０と、入力受付部３２０と、通信部３３０と、を組み合わせてインターネットブラウザ機能を実現する。
【００４５】
ネット購買装置４００には、制御部４１０と、記憶部４２０と、通信部４３０と、が含まれる。制御部４１０には、購買処理部４１１と、決済処理部４１２と、が含まれる。
【００４６】
購買処理部４１１は、購入対象の商品を検索条件に従って検索し、商品の一覧情報あるいは詳細情報のＷｅｂページや専用アプリケーション等の画面を提示し、商品の選択に基づき商品購入を管理する等の各種機能を実現する。具体的には、購買処理部４１１は、購入対象の商品識別子を受け付けると、商品情報記憶部４２１から購入対象の商品の詳細情報を読み出し、購入対象の商品を特定するいわゆるカートの出し入れ等の購買に係る各種管理を行う。その処理において、購買処理部４１１は、決済の対象となる取引と代理決済の対象となる取引を特定し、決済の対象となる商品については決済処理部４１２で決済処理を行わせ、代理決済の対象となる商品については代理決済装置１００へ決済処理を委譲する。
【００４７】
決済処理部４１２は、決済を、現金決済、クレジットカード決済、ポイントカード決済等の公知の各種方法と、のいずれかで行う。
【００４８】
記憶部４２０には、商品情報記憶部４２１が含まれる。
【００４９】
図４は、商品情報記憶部４２１に格納されるデータ構造を示す図である。商品情報記憶部４２１には、商品を識別する商品識別子４２１Ａごとに、商品名４２１Ｂと、色４２１Ｃと、製造者４２１Ｄと、販売価格４２１Ｅと、カテゴリ４２１Ｆと、商品の口コミ評価値等の評価４２１Ｇと、が対応付けて格納される。商品名４２１Ｂと、色４２１Ｃと、製造者４２１Ｄとは、それぞれ商品に係る名称、商品を区別する基調色が有る場合にはその色、商品の製造者、に係る情報である。販売価格４２１Ｅは、商品の実際の販売価格である。カテゴリ４２１Ｆは、個々の商品のカテゴリを特定する情報であり、評価４２１Ｇは、商品のレビュー等に伴う採点に基づく評価値である。
【００５０】
通信部４３０は、ネットワーク５０を介して他の装置である購入者端末２００、クレジットカード契約者端末３００および代理決済装置１００との通信を行う。
【００５１】
図５は、代理決済装置１００のハードウェア構成例を示す図である。代理決済装置１００は、演算装置１０１と、主記憶装置１０２と、外部記憶装置１０３と、通信装置１０４と、各装置をつなぐバス１０５と、を備える。また、他に、代理決済装置１００は、入力装置を備えるものであってもよい。
【００５２】
演算装置１０１は、例えばＣＰＵ（Ｃｅｎｔｒａｌ  Ｐｒｏｃｅｓｓｉｎｇ  Ｕｎｉｔ）などの演算装置である。
【００５３】
主記憶装置１０２は、例えばＲＡＭ（Ｒａｎｄｏｍ  Ａｃｃｅｓｓ  Ｍｅｍｏｒｙ）などのメモリ装置である。
【００５４】
外部記憶装置１０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００５５】
通信装置１０４は、ネットワーク５０等を介して購入者端末２００、クレジットカード契約者端末３００、ネット購買装置４００等の他の装置と通信経路を確立し、情報を送受信するネットワークカード等の装置である。
【００５６】
なお、入力装置は、キーボードやマウス、タッチパネル等の各種入力装置である。
【００５７】
入力装置と、演算装置１０１と、主記憶装置１０２と、外部記憶装置１０３と、通信装置１０４とは、バス１０５等の接続導線により互いに接続される。
【００５８】
上記した代理決済装置１００の関心商品登録部１１１と、代理支払依頼処理部１１２と、代理支払認否処理部１１３と、代替提案処理部１１４と、優先順設定部１１５とは、演算装置１０１に処理を行わせるプログラムによって実現される。このプログラムは、主記憶装置１０２、外部記憶装置１０３または図示しないＲＯＭ装置内に記憶され、実行にあたって主記憶装置１０２上にロードされ、演算装置１０１により実行される。
【００５９】
また、代理決済装置１００の記憶部１２０は、主記憶装置１０２及び外部記憶装置１０３により実現される。また、代理決済装置１００の通信部１３０は、通信装置１０４により実現される。以上が、代理決済装置１００のハードウェア構成例である。
【００６０】
代理決済装置１００のそれぞれの構成は、処理内容に応じて、さらに多くの構成要素に分類することもできる。また、１つの構成要素がさらに多くの処理を実行するように分類することもできる。
【００６１】
また、各制御部（関心商品登録部１１１、代理支払依頼処理部１１２、代理支払認否処理部１１３、代替提案処理部１１４、優先順設定部１１５）は、それぞれの機能を実現する専用のハードウェア（ＡＳＩＣ、ＧＰＵなど）により構築されてもよい。また、各制御部の処理が一つのハードウェアで実行されてもよいし、複数のハードウェアで実行されてもよい。
【００６２】
図６は、購入者端末２００のハードウェア構成例を示す図である。購入者端末２００は、入力装置２０１と、演算装置２０２と、外部記憶装置２０３と、主記憶装置２０４と、出力装置２０５と、通信装置２０６と、各装置をつなぐバス２０７と、を備える。
【００６３】
入力装置２０１は、キーボードやマウス、タッチパネル等の各種入力装置である。演算装置２０２は、例えばＣＰＵなどの演算装置である。外部記憶装置２０３は、デジタル情報を記憶可能な、いわゆるハードディスクやＳＳＤあるいはフラッシュメモリなどの不揮発性記憶装置である。
【００６４】
主記憶装置２０４は、例えばＲＡＭなどのメモリ装置である。出力装置２０５は、例えば液晶ディスプレイや、有機ＥＬディスプレイ等の表示装置である。通信装置２０６は、ネットワーク５０等を介して代理決済装置１００等の他の装置と通信経路を確立し、情報を送受信するネットワークカード等の装置である。
【００６５】
入力装置２０１と、演算装置２０２と、外部記憶装置２０３と、主記憶装置２０４と、出力装置２０５と、通信装置２０６とは、バス２０７等の接続導線により互いに接続される。
【００６６】
上記した購入者端末２００の表示部２１０と、入力受付部２２０と、ブラウザ処理部２４０とは、演算装置２０２に処理を行わせるプログラムによって実現される。このプログラムは、主記憶装置２０４、外部記憶装置２０３または図示しないＲＯＭ装置内に記憶され、実行にあたって主記憶装置２０４上にロードされ、演算装置２０２により実行される。
【００６７】
また、購入者端末２００の通信部２３０は、通信装置２０６により実現される。以上が、購入者端末２００のハードウェア構成例である。
【００６８】
購入者端末２００のそれぞれの構成は、処理内容に応じて、さらに多くの構成要素に分類することもできる。また、１つの構成要素がさらに多くの処理を実行するように分類することもできる。
【００６９】
また、各制御部（表示部２１０、入力受付部２２０、通信部２３０、ブラウザ処理部２４０）は、ハードウェア（ＡＳＩＣ、ＧＰＵなど）により構築されてもよい。また、各制御部の処理が一つのハードウェアで実行されてもよいし、複数のハードウェアで実行されてもよい。
【００７０】
なお、クレジットカード契約者端末３００についても、購入者端末２００と略同一のハードウェア構成を備えるため、説明は省略する。
【００７１】
図７は、ネット購買装置４００のハードウェア構成例を示す図である。ネット購買装置４００は、入力装置４０１と、演算装置４０２と、主記憶装置４０３と、出力装置４０４と、通信装置４０５と、各装置をつなぐバス４０７と、を備える。
【００７２】
入力装置４０１は、キーボードやマウス、タッチパネル等の各種入力装置である。演算装置４０２は、例えばＣＰＵなどの演算装置である。主記憶装置４０３は、例えばＲＡＭなどのメモリ装置である。出力装置４０４は、例えば液晶ディスプレイや、有機ＥＬディスプレイ等の表示装置である。通信装置４０５は、ネットワーク５０等を介して代理決済装置１００等の他の装置と通信経路を確立し、情報を送受信するネットワークカード等の装置である。
【００７３】
入力装置４０１と、演算装置４０２と、主記憶装置４０３と、出力装置４０４と、通信装置４０５とは、バス４０７等の接続導線により互いに接続される。
【００７４】
上記したネット購買装置４００の購買処理部４１１と、決済処理部４１２とは、演算装置４０２に処理を行わせるプログラムによって実現される。このプログラムは、主記憶装置４０３または図示しないＲＯＭ装置内に記憶され、実行にあたって主記憶装置４０３上にロードされ、演算装置４０２により実行される。また、ネット購買装置４００の商品情報記憶部４２１は、主記憶装置４０３または図示しないＲＯＭ装置内に記憶されて実現される。
【００７５】
また、ネット購買装置４００の通信部４３０は、通信装置４０５により実現される。以上が、ネット購買装置４００のハードウェア構成例である。
【００７６】
ネット購買装置４００のそれぞれの構成は、処理内容に応じて、さらに多くの構成要素に分類することもできる。また、１つの構成要素がさらに多くの処理を実行するように分類することもできる。
【００７７】
また、各制御部（購買処理部４１１、決済処理部４１２）は、ハードウェア（ＡＳＩＣ、ＧＰＵなど）により構築されてもよい。また、各制御部の処理が一つのハードウェアで実行されてもよいし、複数のハードウェアで実行されてもよい。
【００７８】
次に、本実施形態における決済システム１の動作を説明する。
【００７９】
図８は、代理購入処理のフローを示す図である。代理購入処理は、代理決済を希望する者すなわちクレジットカード契約者でない者が用いる購入者端末２００から開始の指示を得ると、開始される。なお、購入者端末２００から開始の指示を得た場合に限らず、クレジットカード契約者端末３００やその他図示しない各種端末から指示を得た場合であっても、代理購入処理は開始される。なお、代理購入処理は、ネット購買装置４００の購買処理部４１１がネット購買の購入処理において関心商品の登録指示を受け付けると、購買処理部４１１が代理決済装置１００へ関心商品および代理支払の希望の有無の情報を受け渡すことで開始される。
【００８０】
まず、代理決済装置１００の関心商品登録部１１１は、購入者から関心商品と、代理支払の希望の有無の指定を受け付ける（ステップＳ１０１）。具体的には、関心商品登録部１１１は、ネット購買装置４００の購買処理部４１１から、関心商品とその数量、各商品の価格等の情報と、代理支払の希望の有無を受け付ける。そして、関心商品登録部１１１は、受け付けた情報を、関心商品記憶部１２１へ格納する。すなわち、関心商品登録部１１１は、購入者である顧客識別子１２１Ａ、関心商品を特定する商品識別子１２１Ｂ、商品名１２１Ｃ、色１２１Ｄ、製造者１２１Ｅ、実勢価格１２１Ｆ、決済を代理する者の指定が有る場合にその者を特定する代理決済対象１２１Ｇ、数量１２１Ｈを希望するそれぞれの商品ごとに対応付けて関心商品記憶部１２１へ格納する。
【００８１】
そして、代理支払依頼処理部１１２は、代理支払希望商品があるか否かを判定する（ステップＳ１０２）。具体的には、代理支払依頼処理部１１２は、ステップＳ１０１にて受け付けた関心商品に代理支払による購入希望がある商品（代理支払希望商品）が含まれるか否かを判定する。代理支払希望商品が含まれない場合（ステップＳ１０２にて「Ｎｏ」の場合）には、代理支払依頼処理部１１２は、代理購入処理を終了させる。
【００８２】
代理支払希望商品が含まれる場合（ステップＳ１０２にて「Ｙｅｓ」の場合）には、代理支払依頼処理部１１２は、代理支払未依頼の代理支払者を特定可能か否かを判定する（ステップＳ１０３）。具体的には、代理支払依頼処理部１１２は、関心商品記憶部１２１を参照して、代理決済対象１２１Ｇに格納された代理支払者、あるいは顧客により予め代理支払者記憶部１２２に登録された代理支払者を抽出し、代理支払を行ったか否かに関わらず代理支払を依頼済みの代理支払者を除外して、少なくとも一人以上の代理支払者が残るか否かを判定する。一人も代理支払者が残らない場合には、代理支払依頼処理部１１２は、未依頼の代理支払者を特定不可能である（ステップＳ１０３で「Ｎｏ」）と判定し、代理購入処理を終了させる。
【００８３】
代理支払未依頼の代理支払者を特定可能な場合（ステップＳ１０３にて「Ｙｅｓ」の場合）には、代理支払依頼処理部１１２は、代理支払未依頼の代理支払者の一人へ代理支払処理依頼を送信する（ステップＳ１０４）。具体的には、代理支払依頼処理部１１２は、代理支払未依頼の代理支払者を一人ランダムあるいは優先順設定部１１５が実施する所定のアルゴリズムにしたがって優先順に選定する。そして、代理支払依頼処理部１１２は、関心商品およびその数量の一覧を含み、代理で支払う関心商品およびその数量を入力可能な代理支払依頼画面を生成して代理支払者のクレジットカード契約者端末３００へ送信する。
【００８４】
なお、優先順設定部１１５は、この優先順を算出するにあたり、例えば、代理支払者記憶部１２２を参照して、関心商品ごとにその商品のカテゴリを特定し、当該カテゴリが第一優先カテゴリ１２２Ｅに設定されている代理支払者を抽出して優先順位１２２Ｄにしたがって優先順を算出する。関心商品のカテゴリが第一優先カテゴリ１２２Ｅに設定されている代理支払者が抽出されなかった場合には、優先順設定部１１５は、代理支払者記憶部１２２を参照して、関心商品のカテゴリが第二優先カテゴリ１２２Ｆに設定されている代理支払者を抽出して優先順位１２２Ｄにしたがって優先順を算出する。同様に、第三優先カテゴリ１２２Ｇまで検索しても抽出がされなかった場合には、優先順設定部１１５は、優先順位１２２Ｄに基づき優先順を算出する。
【００８５】
代理支払認否処理部１１３は、所定期間内に代理支払者から代理支払の対象商品と数量とを受け付けたか否か判定する（ステップＳ１０５）。具体的には、代理支払認否処理部１１３は、所定の期間（例えば、２４時間）以内に代理支払者のクレジットカード契約者端末３００等から代理支払の対象商品と、代理支払の数量と、を受け付けたか否かを判定する。代理支払の対象商品と、代理支払の数量と、を受け付けていないまま所定期間が経過している場合（ステップＳ１０５にて「Ｎｏ」の場合）には、代理支払認否処理部１１３は、制御をステップＳ１０３へ戻し、当該代理支払者について代理支払を依頼済みとして扱う。
【００８６】
所定期間内に代理支払の対象商品と、代理支払の数量と、を受け付けた場合（ステップＳ１０５にて「Ｙｅｓ」の場合）には、代理支払認否処理部１１３は、代理支払の対象以外に代替商品の提示要求があるか否かを判定する（ステップＳ１０６）。具体的には、代理支払認否処理部１１３は、クレジットカード契約者端末３００等から、代理支払の対象商品提示後に代替商品の提示要求が送信されたか否かを判定する。
【００８７】
代替商品の提示要求が有る場合（ステップＳ１０６にて「Ｙｅｓ」の場合）には、代替提案処理部１１４は、ネット購買装置４００へ同カテゴリの同メーカーの商品の検索要求を行い、検索の結果得られた商品を代替商品として関心商品と差し替える（ステップＳ１０７）。そして、代替提案処理部１１４は、ステップＳ１０５へ制御を戻す。
【００８８】
なお、代替提案処理部１１４は、これに限られず、検索要求に代理支払者が指定する様々な条件を指定することができる。例えば、代替提案処理部１１４は、関心商品ごとに、少なくとも関心商品と同一のカテゴリの商品、あるいは関心商品と同じ製造者の商品を検索条件とするようにしてもよい。あるいは、代替提案処理部１１４は、検索条件を、購入商品の上限価格、購入商品の数量、のいずれかを含むものとしてもよい。またあるいは、代替提案処理部１１４は、検索条件の指定を受け付ける代替検索画面をクレジットカード契約者端末３００に表示させ、指定を受け付けた検索条件（例えば、メーカー、カテゴリ、購入者の口コミやレビュー等の評価値、上限金額等の制約を課す条件）を指定するものであってもよい。
【００８９】
代替商品の提示要求が無い場合（ステップＳ１０６にて「Ｎｏ」の場合）には、代理支払認否処理部１１３は、対象商品の決済・請求処理を実施する（ステップＳ１０８）。具体的には、代理支払認否処理部１１３は、関心商品のうち代理支払者から支払いを許可された商品およびその数量に基づいて決済処理と請求処理等の金銭処理を行う。この決済処理、請求処理では、クレジットカード契約者のクレジットカード契約に基づいて従前と同様の決済処理がなされ、所定の請求処理をクレジットカード契約者宛てに行う。
【００９０】
そして、代理支払依頼処理部１１２は、取引成立を代理支払者へ通知する（ステップＳ１０９）。具体的には、代理支払依頼処理部１１２は、取引が成立した、すなわちクレジットカードが使用されたことを示す画面情報を、クレジットカード契約者端末３００へ送信する。
【００９１】
そして、代理支払依頼処理部１１２は、関心商品は全て購入済みか否か判定する（ステップＳ１１０）。具体的には、代理支払依頼処理部１１２は、関心商品記憶部１２１を参照して、関心商品として登録された商品の全てについて、登録された数量を満たす量の代理決済がされたか否かを判定する。関心商品として登録された商品の全てについて、登録された数量を満たす量の代理決済がされていない場合（ステップＳ１１０にて「Ｎｏ」の場合）には、代理支払依頼処理部１１２は、制御をステップＳ１０２へ戻す。
【００９２】
関心商品として登録された商品の全てについて、登録された数量を満たす量の代理決済がされた場合（ステップＳ１１０にて「Ｙｅｓ」の場合）には、代理支払依頼処理部１１２は、代理購入処理を終了させる。
【００９３】
以上が、代理購入処理のフローである。代理購入処理によれば、クレジットカード契約者以外の者であって当該クレジットカード契約に係るクレジットカード媒体を持たない者が、安全かつ簡易に契約者のクレジットカード機能を利用して購入することができる。
【００９４】
とくに、時節に応じた祝儀や贈答では、贈答品を受け取る者が予め関心商品として登録しておくことで、贈答品を送る者が贈答品の選別の悩みを減らすことができ、贈答品のミスマッチを防ぐことができる。また、関心商品のうち一部を指定して代理決済することが可能となり、予算を超過する商品については代替商品を提案することもできることから、代理決済の予算管理も容易となる。
【００９５】
図９は、代理購入処理が開始される前の、ネット購買装置４００の購買処理部４１１が出力する関心商品入力画面５００の例を示す図である。関心商品入力画面５００は、購入者端末２００において、購入には至らないが購入に関心がある商品の登録を受け付ける画面である。関心商品入力画面５００には、関心商品の代理支払を希望するか否かの入力を受け付ける代理支払対象入力項目５０１と、関心商品の名称入力を受け付ける関心商品入力項目５０２と、関心商品の数量の入力を受け付ける数量入力項目５０３と、関心商品の価格を表示する金額表示項目５０４と、が含まれる。また、関心商品入力画面５００には、関心商品の確定入力を受け付ける商品追加ボタン５０５と、入力した関心商品をキャンセルする指示を受け付ける戻るボタン５０６と、が含まれる。
【００９６】
商品追加ボタン５０５に入力を受け付けると、購買処理部４１１は、代理支払対象入力項目５０１の代理支払の希望有無とともに、関心商品登録部１１１に関心商品と数量の登録を依頼する。関心商品登録部１１１がこれを受け付けると、代理決済装置１００において代理購入処理が開始される。なお、関心商品入力画面５００は、ネット購買装置４００により生成されて購入者端末２００のブラウザ処理部２４０により表示されるものであってもよいし、購入者端末２００において所定のプログラムにより生成されてブラウザ処理部２４０により表示されるものであってもよい。
【００９７】
図１０は、代理支払者選択画面５５０の例を示す図である。代理支払者選択画面５５０は、購入者端末２００において、代理支払をする者を択一的に受け付ける画面である。代理支払者選択画面５５０には、代理支払を依頼する者を登録者から自動で選択する指示を受け付ける自動選択肢５５１と、その他の代理支払者の入力を受け付けるその他の選択肢５５２とが選択可能に表示される。また、その他の選択肢５５２には、代理支払者の名前の入力を受け付ける代理支払者名前受付項目５５３と、代理支払者のメールアドレスの入力を受け付けるメールアドレス受付項目５５４と、の詳細項目が含まれる。
【００９８】
また、代理支払者選択画面５５０には、いずれかの選択肢を代理決済装置１００へ送信する指示を受け付ける依頼するボタン５５５と、いずれの選択肢も選択せずに処理を終了させる指示を受け付けるキャンセルボタン５５６と、が表示される。
【００９９】
いずれかの選択肢が選択状態にされ、依頼するボタン５５５への入力を受け付けると、代理支払依頼処理部１１２は、代理購入処理のステップＳ１０３の処理を実行する。なお、代理支払者選択画面５５０は、代理決済装置１００により生成されて購入者端末２００のブラウザ処理部２４０により表示されるものであってもよいし、購入者端末２００において所定のプログラムにより生成されてブラウザ処理部２４０により表示されるものであってもよい。
【０１００】
図１１は、代理支払者詳細設定画面５７０の例を示す図である。代理支払者詳細設定画面５７０は、購入者端末２００において、代理支払をする者を予め登録する指示を受け付ける画面である。代理支払者詳細設定画面５７０は、代理支払者の名前を受け付ける名前入力項目５７１と、代理支払者のメールアドレスを受け付けるメールアドレス入力項目５７２と、代理支払者の優先順位を受け付ける優先順位入力項目５７３と、代理支払者の第一の優先カテゴリを受け付ける優先カテゴリ１入力項目５７４と、代理支払者の第二の優先カテゴリを受け付ける優先カテゴリ２入力項目５７５と、代理支払者の第三の優先カテゴリを受け付ける優先カテゴリ３入力項目５７６と、代理支払者の詳細設定の設定を確定する指示を受け付ける設定するボタン５７７と、いずれの入力も確定せずに処理を終了させる指示を受け付けるキャンセルボタン５７８と、が表示される。
【０１０１】
代理支払者詳細設定画面５７０において設定するボタン５７７に入力を受け付けると、代理支払依頼処理部１１２は、名前入力項目５７１と、メールアドレス入力項目５７２と、優先順位入力項目５７３と、優先カテゴリ１入力項目５７４と、優先カテゴリ２入力項目５７５と、優先カテゴリ３入力項目５７６と、に入力された情報を用いて代理支払者記憶部１２２へ代理支払者の詳細情報を登録する。なお、代理支払者詳細設定画面５７０は、代理決済装置１００により生成されて購入者端末２００のブラウザ処理部２４０により表示されるものであってもよいし、購入者端末２００において所定のプログラムにより生成されてブラウザ処理部２４０により表示されるものであってもよい。
【０１０２】
図１２は、代理購入画面６００の例を示す図である。代理購入画面６００は、クレジットカード契約者端末３００において、代理支払処理に係る指示を受け付ける画面である。代理購入画面６００には、代理購入を許可する商品ごとにチェック入力を受け付ける許可入力受付項目６０１、６０２、６０３と、代替商品を提案するために代替商品を検索する指示を受け付ける代替ボタン６１１、６１２、６１３と、代理購入を許可する指示の入力を受け付ける代理購入許可ボタン６２０と、代理購入をすべて拒絶する指示の入力を受け付ける拒否するボタン６２１と、が含まれる。
【０１０３】
代替ボタン６１１、６１２、６１３が入力を受け付けると、それぞれ、代替商品を提案するための条件設定を行う画面に遷移する。代理購入許可ボタン６２０が入力を受け付けると、許可入力受付項目６０１、６０２、６０３のうち選択入力された項目に係る商品について代理購入の決済画面へ遷移する。なお、代理購入画面６００は、代理決済装置１００により生成されてクレジットカード契約者端末３００のブラウザ処理部３４０により表示されるものであってもよいし、クレジットカード契約者端末３００において所定のプログラムにより生成されてブラウザ処理部３４０により表示されるものであってもよい。
【０１０４】
図１３は、代替検索画面６５０の例を示す図である。代替検索画面６５０は、クレジットカード契約者端末３００において、代理支払処理に係る関心商品の代替となる商品を検索する条件の指定を受け付ける画面である。代替検索画面６５０には、代替商品を検索する商品について検索条件のチェック入力を受け付ける条件入力受付項目６５１、６５２と、入力された条件で検索する指示を受け付ける検索ボタン６５３と、いずれの検索条件も選択せずに代替検索を終了させる指示を受け付ける戻るボタン６５４と、検索条件を未選択状態に変更する指示を受け付けるクリアボタン６５５と、が含まれる。
【０１０５】
検索ボタン６５３が入力を受け付けると、代替商品を検索した結果を表示する画面に遷移する。具体的には、検索ボタン６５３が入力を受け付けると、代替提案処理部１１４は、入力された条件でネット購買装置４００へ代替となるべき商品の検索要求を行い、検索の結果得られた商品を代替商品として関心商品と差し替えるか否かを問い合わせる画面へ遷移させる。なお、代替検索画面６５０は、代理決済装置１００により生成されてクレジットカード契約者端末３００のブラウザ処理部３４０により表示されるものであってもよいし、クレジットカード契約者端末３００において所定のプログラムにより生成されてブラウザ処理部３４０により表示されるものであってもよい。
【０１０６】
図１４は、代替商品メッセージ画面７００の例を示す図である。代替商品メッセージ画面７００は、購入者端末２００において、代理支払をする者から購入者への関心商品の代理商品への差替え案内およびメッセージを表示する画面である。代替商品メッセージ画面７００は、代替商品を表示するとともに代替商品の差替えに係る代理支払者からのメッセージ文を表示するメッセージ項目７０１と、関心商品を代替商品に差し替えて代理支払を決定する指示を受け付ける提案に応じて決定ボタン７０２と、さらにメッセージを代理支払者へ返す指示を受け付けるメッセージ入力ボタン７０３と、別の商品を検索して代理支払を再依頼する指示を受け付ける別商品を検索して再依頼ボタン７０４と、代理支払のステータスを一時的に停止状態とする指示を受け付けるあとでボタン７０５と、代理支払を他の者へ依頼する指示を受け付ける別の人へ依頼ボタン７０６と、が表示される。
【０１０７】
代替商品メッセージ画面７００において提案に応じて決定ボタン７０２に入力を受け付けると、関心商品登録部１１１は、代替商品により関心商品記憶部１２１の当該関心商品を差し替えて登録する。そして、代理支払依頼処理部１１２は、差し替えられた関心商品の代替品について代理決済処理を開始する。なお、代替商品メッセージ画面７００は、代理決済装置１００により生成されて購入者端末２００のブラウザ処理部２４０により表示されるものであってもよいし、購入者端末２００において所定のプログラムにより生成されてブラウザ処理部２４０により表示されるものであってもよい。
【０１０８】
以上、本発明に係る実施形態を適用した決済システム１について説明した。当該実施形態によると、クレジットカード契約者以外の者であって当該クレジットカード契約に係るクレジットカード媒体を持たない者が、安全かつ簡易に契約者のクレジットカード機能を利用して所定の者に代理決済を依頼することができる。
【０１０９】
本発明は、上記の実施形態に制限されない。上記の実施形態は、本発明の技術的思想の範囲内で様々な変形が可能である。例えば、上記の実施形態においては、ネット（インターネット）購買での商品購入が例示されているが、これに限られない。例えば、店頭での購入等に利用するものとすることができる。
【０１１０】
また例えば、上記の実施形態においては、登録された関心商品が全て購入されるか、予め対応付けられた代理支払者のそれぞれに問い合わせを終えるまで、順に代理支払者へ問い合わせを行う、という流れであるが、これに限られない。例えば、代理支払認否処理部１１３により優先順に関係なく全てのあるいは一部の代理支払者へ一斉に代理支払の認否の問い合わせが行われ、代理購入により購入がなされて関心商品の全てが満たされると未支払者へ代理支払が完了した旨の通知が代理支払認否処理部１１３により発報されるようにしてもよい。このようにすることで、代理支払にかかる期間を短縮することができる。
【０１１１】
また、上記した実施形態の技術的要素は、単独で適用されてもよいし、プログラム部品とハードウェア部品のような複数の部分に分けられて適用されるようにしてもよい。
【０１１２】
以上、本発明について、実施形態を中心に説明した。
【符号の説明】
【０１１３】
１・・・決済システム、５０・・・ネットワーク、１００・・・代理決済装置、１１０・・・制御部、１１１・・・関心商品登録部、１１２・・・代理支払依頼処理部、１１３・・・代理支払認否処理部、１１４・・・代替提案処理部、１１５・・・優先順設定部、１２０・・・記憶部、１２１・・・関心商品記憶部、１２２・・・代理支払者記憶部、１３０・・・通信部、２００・・・購入者端末、２１０・・・表示部、２２０・・・入力受付部、２３０・・・通信部、２４０・・・ブラウザ処理部、３００・・・クレジットカード契約者端末、３１０・・・表示部、３２０・・・入力受付部、３３０・・・通信部、３４０・・・ブラウザ処理部、４００・・・ネット購買装置、４１０・・・制御部、４１１・・・購買処理部、４１２・・・決済処理部、４２０・・・記憶部、４２１・・・商品情報記憶部、４３０・・・通信部
【図１】
2018072918.tif 000003
【図２】
2018072918.tif 000004
【図３】
2018072918.tif 000005
【図４】
2018072918.tif 000006
【図５】
2018072918.tif 000007
【図６】
2018072918.tif 000008
【図７】
2018072918.tif 000009
【図８】
2018072918.tif 000010
【図９】
2018072918.tif 000011
【図１０】
2018072918.tif 000012
【図１１】
2018072918.tif 000013
【図１２】
2018072918.tif 000014
【図１３】
2018072918.tif 000015
【図１４】
2018072918.tif 000016